(57)【要約】【課題】アーク放電ランプの組立体の構造的一貫性を高める。【解決手段】外管およびオフセット導電リード線の前記第４セクションに取り付けられるオフセット導電リード線用保持クリップが設けられている。【選択図】図１
2006286634.tif 000002
【特許請求の範囲】
【請求項１】
中央ボディ、第１の端部およびその反対側の第２の端部を備えたアーク放電管と、
前記第１の端部側の第１の電極および前記第２の端部側の第２の電極と、
前記中央ボディ内でアークを発生および維持する媒体と、
前記アーク放電管を包囲する外管と、
前記アーク放電管の前記第１の端部および前記第２の端部を把持および位置決めする２つの外管クリップと、
前記第２の電極に接続されそこから延在する導電リード線と、
前記第１の電極に接続され、かつ、前記第１の電極に対して横断方向に延在する第１セクション、前記外管に対して平行に延在する第２セクション、前記外管に対して斜めに延在する第３セクションおよび再び前記外管に対して平行に延在する第４セクションを備えたオフセット導電リード線と、
前記外管および前記オフセット導電リード線の前記第４セクションに取り付けられるオフセット導電リード線用保持クリップと
を有しており、
前記第１の電極は前記中央ボディ内へ突出し、かつ、前記第１の端部から延在する第１の電極端を有しており、
前記第２の電極は前記中央ボディ内へ突出し、かつ、前記第２の端部から延在する第２の電極端を有しており、
前記２つの外管クリップはそれぞれ前記外管の端部に配置されており、かつ前記外管の周に嵌合する弓状部と前記外管の径にわたる横径部とを有する
ことを特徴とする高輝度放電ランプ組立体。
【請求項２】
前記オフセット導電リード線用保持クリップはＵ字状部を有し、該Ｕ字状部は前記外管のエッジに取り付けられている、請求項１記載の組立体。
【請求項３】
前記Ｕ字状部は一体成形矩形部を有する、請求項２記載の組立体。
【請求項４】
前記一体成形矩形部は前記オフセット導電リード線の第４セクションに取り付けられている、請求項３記載の組立体。
【発明の詳細な説明】
【技術分野】
【０００１】
本発明は、ランプ、特にアーク放電ランプに関する。さらに詳しく云えば、本発明はアーク放電ランプの組立体（mount）の構造的安定性を増大する手段に関する。
【背景技術】
【０００２】
アーク放電ランプの組立体はふつうアーク放電管そのもの、これを包囲する外管（tubular shroud）および電源への接続のための導電リード線を含む。組立体、ベース、管球などの種々のランプ部品は、必要かつ有利であるので、それぞれ異なる場所で製造され、最終的なアセンブリのために別の場所へ輸送されることが多い。したがって輸送中もトレランスの維持および組立体に組み込まれた電極の位置に留意し、管球に対する組立体のアセンブリのオートメーションが容易に達成されるようにすることが重要である。アセンブリのオートメーションには導電リード線を管球に封止されたフェルールへ挿入するステップが含まれる。通常の場合１つのリード線が他のリード線よりもかなり長くなるように構成されているので、これまで、荷詰め、輸送、荷解きおよびアセンブリの際にリード線間の所望の一貫したスペースを保持することは困難であった。
【発明の開示】
【発明が解決しようとする課題】
【０００３】
したがって本発明の課題は、先行技術の欠点を回避することである。
【０００４】
本発明のさらなる課題は、アーク放電ランプの組立体の構造的一貫性を高めることである。
【課題を解決するための手段】
【０００５】
この課題は、中央ボディ、第１の端部およびその反対側の第２の端部を備えたアーク放電管と、前記第１の端部側の第１の電極および前記第２の端部側の第２の電極と、前記中央ボディ内でアークを発生および維持する媒体と、前記アーク放電管を包囲する外管と、前記アーク放電管の前記第１の端部および前記第２の端部を把持および位置決めする２つの外管クリップと、前記第２の電極に接続されそこから延在する導電リード線と、前記第１の電極に接続され、かつ、前記第１の電極に対して横断方向に延在する第１セクション、前記外管に対して平行に延在する第２セクション、前記外管に対して斜めに延在する第３セクションおよび再び前記外管に対して平行に延在する第４セクションを備えたオフセット導電リード線と、前記外管および前記オフセット導電リード線の前記第４セクションに取り付けられるオフセット導電リード線用保持クリップとを有しており、前記第１の電極は前記中央ボディ内へ突出し、かつ、前記第１の端部から延在する第１の電極端を有しており、前記第２の電極は前記中央ボディ内へ突出し、かつ、前記第２の端部から延在する第２の電極端を有しており、前記２つの外管クリップはそれぞれ前記外管の端部に配置されており、かつ前記外管の周に嵌合する弓状部と前記外管の径にわたる横径部とを有することを特徴とする高輝度放電ランプ組立体により解決される。
【発明を実施するための最良の形態】
【０００６】
外管およびオフセット導電リード線の第４セクションに取り付けられた保持クリップは、荷詰め、輸送、荷解きおよびアセンブリのあいだ、重要な導電リード線間のスペースを保持する。
【実施例】
【０００７】
本発明をより良く理解してもらうために、さらに課題、利点および特徴を図に則して以下に説明する。もちろんこれらは特許請求の範囲に関連する。
【０００８】
図示の実施例を詳細に説明する。図１には高輝度放電ランプ１１の組立体１０が示されている。組立体１０はアーク放電管１２を有しており、このアーク放電管は中央ボディ１４、第１の端部１６およびこれと反対側の第２の端部１８を有する。第１の電極２０は第１の端部１６へはめ込まれており、第２の電極２２は第２の端部１８にはめ込まれている。第１の電極２０は中央ボディ１４内へ突出し、また、第１の端部１６から延在する第１の電極端２４を有している。第２の電極２２は中央ボディ１４内へ突出し、また、第２の端部１８から延在する第２の電極端２６を有している。従来のランプと同様に中央ボディ内にはアークを発生および維持する媒体が封入されている。
【０００９】
外管２８は例えば石英またはガラスから成り、アーク放電管１２を包囲している。２つの外管クリップ３０，３２がそれぞれ外管２８の端部に配置されている。各外管クリップは、図４に示されているように、外管の周に嵌合する弓状部３０ａ，３２ａと外管の径にわたる横径部３０ｂとを有しており、アーク放電管１２の第１の端部１６および第２の端部１８を把持し、位置決めする。外管ロッド５０は外管クリップ３０，３２間に溶接により取り付けられ、その位置を保持する。導電リード線３４は第２の電極端２６へ接続されており、第２の電極に対して横断方向に延在する第１の脚部３４ａと、第２の電極２２に対して平行に、つまり組立体１０の長手軸線６０に対して平行に延在する第２の脚部３４ｂとを有する。
【００１０】
オフセット導電リード線３６は第１の電極端２４に接続されており、第１の電極端に対して横断方向に延在する第１セクション３６ａ、外管に対して平行に延在する第２のセクション３６ｂ、外管に向かって斜めに延在する第３セクション３６ｃ、および再び外管に対して平行に延在する第４セクション３６ｄを備えている。
【００１１】
オフセット導電リード線用保持クリップ３８は外管２８のエッジおよびオフセット導電リード線３６の第４セクション３６ｄに取り付けられている。
【００１２】
図２にはオフセット導電リード線用保持クリップ３８の詳細が示されている。この保持クリップは、外管２８のエッジ２８ａに取り付けられるＵ字状部３８ａと、有利には溶接によってオフセット導電リード線３６の第４セクション３６ｄに取り付けられる一体成形矩形部（integrally formed flag）３８ｂとを有する。保持クリップ３８に対する有利な材料は厚さ約０．０２６ｉｎｃｈすなわち約０．０６６ｃｍのアニールされたステンレススチールであり、保持クリップ３８は有利には１個の材料ピースを折り曲げて形成されている。
【００１３】
オフセット導電リード線用保持クリップ３８を付加することにより、オフセット導電リード線が所望の位置にしっかりと固定され、荷詰め、輸送、荷解きおよびその後のアセンブリのあいだも保持される。
【００１４】
本発明を有利な実施例に則して説明したが、当該分野の技術者は、特許請求の範囲によって定義される本発明の範囲から離れることなく、本発明に種々の変更および修正を加えることができることが明らかである。
【図面の簡単な説明】
【００１５】
【図１】本発明の実施例の概略図である。
【図２】保持クリップの立面図である。
【図３】外管クリップおよびこれを保持する外管ロッドを備えた外管の立面図である。
【図４】外管および外管クリップの平面図である。
【符号の説明】
【００１６】
１０  組立体、  １１  高輝度放電ランプ、  １２  アーク放電管、  １４  中央ボディ、  １６  第１の端部、  １８  第２の端部、  ２０  第１の電極、  ２２  第２の電極、  ２４  第１の電極端、  ２６  第２の電極端、  ２８  外管、  ２８ａ  エッジ、  ３０，３２  外管クリップ、  ３０ａ，３２ａ  弓状部、  ３０ｂ  横径部、  ３４  導電リード線、  ３４ａ  第１の脚部、  ３４ｂ  第２の脚部、  ３６  オフセット導電リード線、  ３６ａ  第１セクション、  ３６ｂ  第２セクション、  ３６ｃ  第３セクション、  ３６ｄ  第４セクション、  ３８  オフセット導電リード線用保持クリップ、  ３８ａ  Ｕ字状部、  ３８ｂ  フラグ、  ５０  外管ロッド、  ６０  長手軸線
【図１】
2006286634.tif 000003
【図２】
2006286634.tif 000004
【図３】
2006286634.tif 000005
【図４】
2006286634.tif 000006